(57)【要約】【課題】  ＭＰ３方式等によりＵＳＢメモリに格納された音楽データを車載オーディオ機器に転送することができ、極めて簡易な構成により様々な音楽データを車内で手軽に楽しむことが可能な全く新規な車載用オーディオシステムを提供する。【解決手段】  自動車のシガーライターソケットへ挿入されるシガーライタープラグ部１と、オーディオ機器に対して信号の伝送を行う無線送信機６と、ＵＳＢメモリ３が着脱されるＵＳＢポート２を備える。ＵＳＢメモリ３に格納される音楽データを無線送信機により車載オーディオ機器に伝送する。【選択図】  図１
2006182309.tif 000002
【特許請求の範囲】
【請求項１】
自動車のシガーライターソケットへ挿入されるシガーライタープラグ部と、オーディオ機器に対して信号の伝送を行う無線送信機と、ＵＳＢメモリが着脱されるＵＳＢポートを備えることを特徴とする車載用オーディオシステム。
【請求項２】
前記ＵＳＢメモリにより音楽データが供給されることを特徴とする請求項１記載の車載用オーディオシステム。
【請求項３】
前記無線送信機は、ＦＭ方式、ラジオ方式、Ｂｌｕｅｔｏｏｔｈ方式のいずれかにより信号の伝送を行うことを特徴とする請求項１または２記載の車載用オーディオシステム。
【発明の詳細な説明】
【技術分野】
【０００１】
本発明は、自動車内において、音楽データをＵＳＢメモリを介して取り込み、これを再送可能とする新規な車載用オーディオシステムに関する。
【背景技術】
【０００２】
自動車等の車両用のオーディオシステムとしては、いわゆるＣＤやＭＤ等に記録された信号を再生して、車室内で音楽を聴くように構成したものが主である。このようなオーディオシステムでは、使用可能な記録媒体が、前記ＣＤやＭＤに限られ、これ以外の形態で記録された音楽信号を再生することはできない。
【０００３】
このような状況から、例えばシガーソケットを利用して電源を供給し、外部機器からの信号を車載オーディオ機器に無線で転送する車載用変換プラグ装置が提供されており、これにより、自動車内において様々な音声、映像等を楽しむことが可能になっている（例えば、特許文献１等を参照）。
【０００４】
特許文献１記載の発明では、シガーライター用ソケットに、車載用変換プラグ装置の挿入部を挿入するとともに、この車載用変換プラグ装置に、デジタルビデオ、カラオケ機器、ゲーム機器等の外部電子機器を接続し、この外部電子機器を操作することにより、カーオーディオデッキと外部電子機器の間で無線でデータのやり取りを行うようにしている。
【特許文献１】特開２００３−１５１７０４号公報
【発明の開示】
【発明が解決しようとする課題】
【０００５】
ところで、前記特許文献１記載の車載用変換プラグ装置の場合、結局は各種外部電子機器をケーブルを介して接続する必要があり、車内での取り扱いを考えると煩雑である。また、外部電子機器の設置場所等も必要になり、使用形態も大きく限られることになる。
【０００６】
一方で、音楽信号の提供形態も様変わりしつつあり、例えばＭＰ３方式の音楽データをパーソナルコンピュータにダウンロードし、これを楽しむことが行われている。ＭＰ３方式の音楽データは、メモリに格納して手軽に楽しむことができ、非常に小型の携帯用ＭＰ３プレーヤ等も開発されている。したがって、このＭＰ３方式の音楽データを自動車内で利用することができれば、手軽で簡単なオーディオシステムが構築されるものと考えられる。
【０００７】
本発明は、このような従来の実情に鑑みて提案されたものである。すなわち、本発明は、ＭＰ３方式等によりＵＳＢメモリに格納された音楽データを車載オーディオ機器に転送することができ、極めて簡易な構成により様々な音楽データを車内で手軽に楽しむことが可能な全く新規な車載用オーディオシステムを提供することを目的とする。
【課題を解決するための手段】
【０００８】
上述の目的を達成するために、本発明の車載用オーディオシステムは、自動車のシガーライターソケットへ挿入されるシガーライタープラグ部と、オーディオ機器に対して信号の伝送を行う無線送信機と、ＵＳＢメモリが着脱されるＵＳＢポートを備えることを特徴とする。
【０００９】
ＭＰ３方式の音楽データは、パーソナルコンピュータ等により簡単にダウンロード可能であり、ＵＳＢメモリ等にも容易に格納可能である。本発明の車載用オーディオシステム
は、ＵＳＢメモリが着脱可能なＵＳＢポートを備えているため、音楽データが格納されたＵＳＢメモリをここに装着することで、格納された音楽データを取り込むことができる。取り込んだ音楽データは、無線送信機によって車載オーディオ機器に転送され、車内で再生される。
【００１０】
これにより、パーソナルコンピュータ上の音楽データが、車内に簡単に持ち運べ、これを楽しむことができるようになる。また、ＵＳＢメモリのＵＳＢポートへの装着は、外部電子機器をケーブルで接続する場合に比べて遙かに簡単であり、またＵＳＢメモリが非常に小型であるので、格別な設置場所も不要である。
【発明の効果】
【００１１】
本発明によれば、ＭＰ３方式等によりメモリに格納された音楽データを車載オーディオ機器に転送することことができ、例えばパーソナルコンピュータ上の音楽データを手軽に持ち運び、これを自動車内で手軽に楽しむことが可能である。
【発明を実施するための最良の形態】
【００１２】
以下、本発明を適用した車載用オーディオシステムについて、図面を参照して詳細に説明する。
【００１３】
図１は、本発明を適用した車載用オーディオシステムの一例を示すものである。この車載用オーディオシステムは、自動車に備えられているシガーライターソケットに挿し込んで使用するためのシガーライタープラグ部１を有しており、このシガーライタープラグ部１にＵＳＢポート２が設けられた構造とされている。
【００１４】
このシガーライタープラグ部１は、通常装着されるシガーライタープラグと大差ない大きさを有し、シガーライターソケットに差し込んでも、大きく飛び出すことはなく、違和感なく装着可能である。
【００１５】
また、シガーライタープラグ部１に設けられたＵＳＢポート２には、ＵＳＢメモリ３が着脱自在に装着可能であり、ＵＳＢメモリ３の端子部３ａを前記ＵＳＢポート２に差し込むことで、シガーライタープラグ部１内に音楽データを取り込むことが可能である。図２は、ＵＳＢメモリ２の装着状態を示すものである。
【００１６】
ＵＳＢメモリ３は、例えばパーソナルコンピュータのＵＳＢポートに差し込んで、パーソナルコンピュータ上にダウンロードしたＭＰ３方式の音楽データを取り込むことができ、手軽に音楽データを取り扱うことが可能である。しかも、持ち運びも簡単であり、自動車内にも容易に音楽データを持ち込むことができる。
【００１７】
一方、シガーライタープラグ部１内には、図３に示すように、マイクロコンピュータ４や電源部５、無線送信部６が内蔵されており、これらによってＵＳＢポート２から取り込まれたＭＰ３音楽データを処理して車載オーディオ機器に伝送する。具体的には、ＵＳＢメモリ３に格納されたＭＰ３音楽データをＵＳＢポート２を介してマイクロコンピュータ４に取り込み、ＭＰ３方式の音楽信号から通常のオーディオ信号に変換する。変換したオーディオ信号は、無線送信部６より無線で車載オーディオ機器に転送される。
【００１８】
ここで、無線送信部６は、例えばＦＭ方式、ラジオ方式、Ｂｌｕｅｔｏｏｔｈ方式のいずれかにより、前記車載オーディオ機器にオーディオ信号を伝送する。例えば、ＦＭ方式やラジオ方式の信号に変換して伝送すれば、車載オーディオ機器がラジオチューナを備えていれば、通常のＦＭ放送やラジオ放送と同様に受信することができる。
【００１９】
Ｂｌｕｅｔｏｏｔｈ方式の場合には、車載オーディオ機器もＢｌｕｅｔｏｏｔｈ無線装置を内蔵している必要がある。Ｂｌｕｅｔｏｏｔｈは２．４ＧＨｚ周波数帯を使用してコンピュータや携帯電話器や家電機器、或いは車載電子機器など種々の機器を無線接続して双方向通信を行うための規格であり、通信制御を行うホストとこれに１つ乃至７つのスレーブを無線接続して、パケットベースのデータ通信とリアルタイムの音声通信を行えるように構成されている。２００１年現在の仕様書Ｖｅｒ．１．１においては、下りデータ伝送速度が７２１ｋｂｐｓ、上りは５７．６ｋｂｐｓ（最大）で、これとは別に６４ｋｂｐｓの音声チャネルが３チャネル設けられている。
【００２０】
以上のように、本発明の車載用オーディオシステムによれば、自動車内のシガーライターソケットにシガーライタープラグ部１を装着し、ここにＵＳＢメモリ３を差し込むだけで、パーソナルコンピュータ上の音楽データを自動車内に持ち運んで手軽に再生することが可能になる。
【図面の簡単な説明】
【００２１】
【図１】本発明を適用した車載用オーディオシステムの一例を示す概略斜視図である。
【図２】ＵＳＢメモリの装着状態を示す概略斜視図である。
【図３】図１に示す車載用オーディオシステムの構成を示すブロック図である。
【符号の説明】
【００２２】
１  シガーライタープラグ部
２  ＵＳＢポート
３  ＵＳＢメモリ
４  マイクロコンピュータ
５  電源部
６  無線送信部
【図１】
2006182309.tif 000003
【図２】
2006182309.tif 000004
【図３】
2006182309.tif 000005